(57)【要約】【課題】  記録再生装置によって記録した記録媒体を、別記録再生装置に入れた後に、編集作業をせずにプログラム再生を行う。【解決手段】  記録再生装置で記録した記録媒体を他記録再生装置に記録媒体を装着したとき、記録した記録再生装置を用いて、選択ファイルも所定の時間に再生する記録再生装置をリモートで制御しするように構成した。【選択図】  図１
2007193893.tif 000002
【特許請求の範囲】
【請求項１】
音声及び画像のデジタルデータを記録媒体に記録する第１の記録再生装置であって、
該第１の記録再生装置とは異なる第２の記録再生装置に該記録媒体を入れ替え、
該第１の記録再生装置を用いて、該第２の記録再生装置をリモートで制御することを
特徴とする記録再生装置。
【請求項２】
該記録媒体の管理情報を該第１の記録再生装置に記憶しておき、
該管理情報を用いることを特徴とする請求項１に記載の記録再生装置。
【請求項３】
該第１の記録再生装置に該第２の記録再生装置の製造会社IDおよび製品IDを
設定することを特徴とする請求項1に記載の記録再生装置。
【請求項４】
該第１の記録再生装置において、複数のファイルを選択し、
選択順に再生させるプログラム再生を指示することを
特徴とする請求項1に記載の記録再生装置。
【請求項５】
ファイル再生指示を、前選択ファイル再生終了時に行うようにすることを
特徴とする請求項4に記載の記録再生装置。
【請求項６】
静止画像を選択した場合は、画面表示時間を指定できることを特徴とする
請求項4に記載の記録再生装置。
【請求項７】
該プログラム再生を該第２の記録再生装置で行ったとき、
該プログラム再生を実現するプレイリストファイルを
該第１の記録再生装置に記憶し、
該記録媒体を該第１の記録再生装置に再度入れ替えたとき、
管理情報に該プレイリストファイルを記録することを特徴とする
請求項4に記載の記録再生装置。
【発明の詳細な説明】
【技術分野】
【０００１】
本発明は、画像及び音声記録再生装置に関し、特には、ディジタル画像及び音声データの記録再生を行う記録再生装置に関するものである。
【背景技術】
【０００２】
動画撮影の出来る記録再生装置にて画像を撮影し、その撮影した画像を再生する場合、記録媒体を据置記録再生装置に入れ替えて再生を行う。
【０００３】
編集されたデータまたは、据置記録再生装置において編集を行ないえば、所望の複数ファイルを順次再生させることができる。
【０００４】
従来例としては、例えば特許文献１をあげることが出来る。
【特許文献１】特公平６−０２２０７１号公報
【発明の開示】
【発明が解決しようとする課題】
【０００５】
しかしながら所望の複数ファイルを順次再生させるためには、予め編集を行うか、据置記録再生装置において編集を行なわなければならなかった。
【課題を解決するための手段】
【０００６】
従来抱えている課題を解決し、前記目的を達成するため、本発明は、
音声及び画像のデジタルデータを記録媒体に記録する第１の記録再生装置であって、
該第１の記録再生装置とは異なる第２の記録再生装置に該記録媒体を装着したとき、
該第１の記録再生装置を用いて、該第２の記録再生装置をリモートで制御するように構成している。
【０００７】
[作用]
本発明はこのように構成したので、他記録再生装置での再生時、編集作業をせずに所望の複数ファイルを順次再生させるプログラム再生を行う作用がある。
【発明の効果】
【０００８】
以上の説明から明らかなように、本発明では、他記録再生装置での再生時、編集作業をせずに所望の複数ファイルを順次再生させるプログラム再生を行う効果がある。
【発明を実施するための最良の形態】
【０００９】
図１は本発明を最もよく表す記録再生装置のブロック図である。
【００１０】
図において、101は撮像及び集音回路であり、102はメモリであり、103は画像音声符号復号回路であり、104は記録媒体であり、105はデータバスであり、106はCPUであり、107は管理情報メモリであり、108は画像表示部であり、109はスピーカーであり、110は送信部である。
【００１１】
図１を用いて本発明の動作説明を行う。
【００１２】
動作は、記録・再生及び他再生装置での再生の３つがある。
【００１３】
まず、記録時の動作説明を行う。
【００１４】
撮像及び集音回路(101)より入力された画像及び音声データは、データバス(105)を介し、メモリ(102)に記憶される。メモリ(102)に記憶された画像及び音声データは、画像音声符号復号回路(103)に入力され、圧縮処理等を施し符号化データとなって出力される。符号化データは、記録媒体(104)に記録される。このとき、CPU(106)では、符号化データのファイル名を決め、そのファイルが記録媒体のどの位置に記録されたか、またそのファイルのサムネイルを作成し、管理情報メモリ(107)に記憶する。記録終了時は、ファイルサイズが計測され、管理情報メモリ(107)に記憶され、管理情報メモリ(107)内のデータを記録媒体(104)の管理情報エリアに記録する。
【００１５】
管理情報には、画像及び音声のファイル名、そのファイルのサムネイル情報及び記録媒体に記録されたアドレスとファイルサイズがある。サムネイル情報は、サムネイル画像ファイル名、サムネイル画像の記録アドレス及びサムネイル画像サイズで構成されている。
【００１６】
図２は、記録媒体の管理情報を表す図である。
【００１７】
図において管理情報データを(A)(B)(C)毎に説明していく。
【００１８】
(A)のうちTake0000.aviからTake0002.aviは記録再生装置の記録媒体に記録された動画データである。また、Pict0000.jpgは記録再生装置の記録媒体に記録された静止画データである。さらにAudi0000.sndは記録再生装置の記録媒体に記録された音声データである。この画像、静止画及び音声データのサムネイルが拡張子samで示すものである。次に記録媒体に記録されているアドレスを示し、その横がデータサイズを示している。次が記録時間を示し、最後に表示及び再生用ナンバーが付いている。このナンバーは記録順や記録順及びファイル形式で決定される。
【００１９】
(B)(C)はサムネイル情報であり、そのうち(B)は、サムネイルのファイル名と記録媒体(104)に記録されたアドレス及びファイルサイズを示している。ただし、音声のサムネイルは音声と分かるひとつの用意された画像でもよい。
【００２０】
(C)は、サムネイルデータが記録されてる。
【００２１】
図３は、記録媒体の記録エリアを表す図である。
【００２２】
図において、内周側に管理情報を記録する管理情報エリアがあり、外周側に画像及び音声を記録するデータエリアがある。
【００２３】
図１に戻り、再生時の動作説明を行う。
【００２４】
再生ファイルが選択され、CPU(106)に再生指示が入力されると、CPU(106)は管理情報メモリ(107)より記録媒体(104)に記録された再生ファイルのアドレスを読み、そのアドレスよりデータを読み出す。記録媒体(104)より読み出された符号化データは、データバス(105)を介し画像音声符号復号回路(103)に入力される。画像音声符号復号回路(103)で復号化された画像及び音声データは、メモリ(102)に入力される。メモリ(102)の画像及び音声データのうち、画像データは画像表示部(108)より表示される。また音声データはスピーカー(109)より音が出力される。
【００２５】
次に他再生装置での再生の動作説明を行う。
【００２６】
記録媒体の管理情報は管理情報メモリ(107)に記憶させておく。記録媒体(104)を外し他再生装置に入れる。このため、図１の記録再生装置には記録媒体(104)は存在しないのでアクセス出来ない。
【００２７】
CPU(106)では、管理情報メモリ(107)内に記憶された管理情報を読み、サムネイルデータをデータバス(105)を介し、画像音声復号回路(103)に入力する。画像音声復号回路(103)に入力されたサムネイルデータは復号され、データバス(105)を介し画像表示部(108)に表示される。
【００２８】
上記は画像表示部(108)に表示可能枚数分行われる。ただし、サムネイルデータ数が表示可能枚数以下の場合は、サムネイルデータ数分行われる。また、サムネイルデータが表示可能枚数以上ある場合は、画像表示部(108)には前後画面を示す表示を出し、その部分を選択し決定すると、新たな画面を形成し、未表示サムネイルを順に表示可能枚数分表示する。
【００２９】
図４は本発明を表す記録再生装置である。この記録再生装置の画像表示部が、図１の画像表示部(108)である。また、本記録再生装置にはリモコンの送信機能（例えば、赤外線通信機能）が付いている。
【００３０】
図１に戻り説明を行う。
【００３１】
画像表示部(108)で表示されたサムネイルのひとつを選択し決定すると、CPU(106)では選択されたサムネイルからファイルを決定し、管理情報メモリ(107)より表示及び再生用ナンバーを読み込み、記録媒体の入った再生装置に対し、送信部(110)より表示及び再生用ナンバーとファイル再生指示コマンドを送信する。
【００３２】
さらに本発明では、プログラム再生を指示することが出来る。
【００３３】
以下に図１によりプログラム再生の動作を説明する。
【００３４】
プログラム再生設定時、CPU(106)では前記説明の動作で画像表示部(108)にサムネイルデータを表示させる。そのサムネイルデータを再生させたい順に選択していく。
【００３５】
図５はプログラム再生設定時の画像表示部(108)の画面である。
【００３６】
図のように、選択した順に数字が付けられていく。また選択画像が静止画の場合は、表示時間を設定出来る。
【００３７】
図１に戻り説明を行う。
【００３８】
CPU(106)ではプログラム再生として選択されたファイルを順次記憶し、プレイリストファイルの書式で管理情報メモリ(107)に記憶していく。
【００３９】
図６はプレイリストファイルである。
【００４０】
図のように、まずプレイリストのファイル名がある。次からがプレイリストに含まれるファイルが続く。1ファイルにつき、ファイル名、ファイル再生開始時間位置、ファイル再生終了時間位置が記述される。静止画の場合も同様に記述されるが、ファイル再生開始時間位置は0であり、ファイル再生終了時間位置に記された時間が表示時間となる。
【００４１】
図１に戻り説明を行う。
【００４２】
プログラム再生の設定が終了し、プログラム再生実行を指示されると、プログラム再生を実行する。
【００４３】
上記再生動作同様に最初のファイルの表示及び再生用ナンバーを記録媒体の入った再生装置に対し、送信部(110)より表示及び再生用ナンバーとファイル再生指示コマンドを送信する。CPU(106)では、ファイル再生送信と同時に、時間計測を開始する。ファイル再生終了時間位置からファイル再生開始時間位置を引くことにより算出できるファイル再生時間に次のファイル再生送信を行う。これをプログラム再生に含まれたファイル分行う。
【００４４】
また、他再生装置に入れた記録媒体(104)を本発明の記録再生装置に再度入れたとき、記録媒体(104)の管理情報と管理情報メモリ(107)の内容に違いがあるので、記録媒体(104)の管理情報を管理情報メモリ(107)内の管理情報に書き換えることにより、プレイリストを記録媒体(104)に反映することが出来る。
【００４５】
記録媒体を入れた再生装置をリモコン制御するために、本発明の記録再生装置に再生装置の製造会社IDおよび製品IDを指定すると制御が可能になるため、この製造会社IDおよび製品IDをCPUで管理できる記憶部に記憶することも本発明に含まれる。
【図面の簡単な説明】
【００４６】
【図１】本発明を最もよく表すブロック図である。
【図２】本実施例で用いた記録媒体の管理情報を表す図である。
【図３】本実施例で用いた記録媒体の記録エリアを表す図である。
【図４】本実施例で用いた記録再生装置である。
【図５】本実施例で用いたプログラム再生設定時の画像表示画面である。
【図６】本実施例で用いたプレイリストファイルである。
【図１】
2007193893.tif 000003
【図２】
2007193893.tif 000004
【図３】
2007193893.tif 000005
【図４】
2007193893.tif 000006
【図５】
2007193893.tif 000007
【図６】
2007193893.tif 000008